(57)【要約】  本発明はバックボード構造及び集中型スイッチング機器を提供し、該バックボード構造は、前記バックボードの正面に設置されるラインカードと、前記バックボードの裏面に設置されるスイッチカードとを含む。本発明の提供した上記技術的解決手段を採用して、関連技術における、バックボード手段の転送性能が悪くて、単一ボードの設計空間が小さい問題を解決し、それにより高速信号の経路損失に対する要求を満たし、同時に、単一ボードの設計空間を増加できる。【選択図】図2ｃ
2017521960.tif 000002
【特許請求の範囲】
【請求項１】
バックボーを含み、
前記バックボードの正面に設置されるラインカードと、
前記バックボードの裏面に設置されるスイッチカードと、を更に含むバックボード構造。 
【請求項２】
前記バックボードの正面に設置され、ラインカードをスイッチカードに接続することを実現するための第1ソケットと、
前記バックボードの裏面に設置され、スイッチカードを前記ラインカードに接続することを実現するための第2ソケットと、を更に含み、
前記第1ソケットと前記第2ソケットとは同一の層に直交に設置される請求項1に記載のバックボード構造。 
【請求項３】
前記第1ソケットと前記第2ソケットとは前記バックボードを貫いて直接に接続される請求項2に記載のバックボード構造。 
【請求項４】
前記バックボードに設置され、前記第1ソケットに接続される第3ソケットと、
前記第3ソケットに接続され、前記バックボードに設置され、且つ前記スイッチカードに接続される第4ソケットと、を更に含み、
前記第1ソケットは前記第3ソケットと前記第4ソケットによって、前記第2ソケットに接続される請求項2に記載のバックボード構造。 
【請求項５】
前記バックボードに設置され、層を跨いてスイッチカードとラインカードを接続するためのケーブルボックスを更に含む請求項2に記載のバックボード構造。 
【請求項６】
前記ラインカードを前記ケーブルボックスに接続することを実現するための第5ソケット、及び前記ケーブルボックスを前記ラインカードに接続することを実現するための第6ソケット、
前記スイッチカードを前記ケーブルボックスに接続することを実現するための第7ソケット、及び前記ケーブルボックスを前記スイッチカードに接続することを実現するための第8ソケットを更に含む請求項5に記載のバックボード構造。 
【請求項７】
前記第5ソケットと前記第6ソケットは、前記バックボードを貫通して直接に接続され、或いは、前記第5ソケットと前記第6ソケットは、前記バックボードに設置される第9ソケットによって間接に接続される請求項6に記載のバックボード構造。 
【請求項８】
前記第6ソケットは前記スイッチカードのパネルに近づいて設置される請求項7に記載のバックボード構造。 
【請求項９】
前記第2ソケットと前記第6ソケットとは、それぞれ前記スイッチカードにおける交換チップの両側に設置される請求項6に記載のバックボード構造。 
【請求項１０】
前記ケーブルボックスと前記スイッチカードとは、前記バックボードの同じ側に設置される請求項5に記載のバックボード構造。 
【請求項１１】
前記ケーブルボックスと前記スイッチカードとは平行に設置される請求項10に記載のバックボード構造。 
【請求項１２】
スイッチカードとラインカードを含み、請求項1-11のいずれか一項に記載のバックボード構造を更に含む集中型スイッチング機器。
【発明の詳細な説明】
【技術分野】
【０００１】
本発明は集中型交差バックボード分野に関し、特にバックボード構造及び集中型スイッチング機器に関する。
【背景技術】
【０００２】
集中型スイッチング機器は主に光転送ネットワーク(Optical Transport Network、OTNと略称)、パケット転送ネットワーク(Packet Transfer Network、PTNと略称)、ネットワークプロトコル(Internet Protocol、IPと略称)に基づく分野に応用され、インターネット及び3G/4Gサービスの高速発展に伴って、市場はスイッチング機器のスケジューリング容量に対する需要が益々大きくなる。従来、集中型交差機器の従来技術は主にバックボードトレースによって高速通過の相互接続を実現する。業界で最も新しい大容量のバックボード実現方式は、ベルト式の設計であり、図1a及び図1bを参照する。
【０００３】
図1a及び図1bに1つの片面三層の機器構造を示し、両面六層の容量が倍にし、他方の構造は図1とほぼ一致し、ここで片面三層を例として簡単に紹介する。中間に横方向に挿入されたのはMブロックスイッチカードであり、上下の両層の垂直挿入単一ボードはNブロックラインカード、下層ラインカードに正方向にカードを挿入し、下層単一ボードに逆方向にカードを挿入する。高速ソケット位置は図1bにおける小格子に示すように、ラインカードソケットとスイッチカードソケットとの距離を設計する際にできるだけ近く保持し、高速信号の性能を確保する。このような設計はバックボード12.5G高速信号の信頼な転送を確保することができ、単一のスロットが400Gである状況で、機器の総容量を25T程度に実現する。
【０００４】
プリント回路基板(Printed Circuit Board、PCBと略称)加工性能に制限されるため、バックボード25/28Gの転送性能は信頼的に確保することができない。オペレーティングビジネスルームの機器サイズへの要求に制限され、且つ両面単一ボードは同じ深さだけを使用し、単一ボードに設計できる空間が小さく、単一のスロット400Gを実現する設計に数多くの困難が存在し、単一のスロット800G/1Tを実現する設計はほとんど不可能である。帯域幅及び機器容量単位はGbps(10の9パワーbit秒当たり)又はTbps(10の12パワーbit秒当たり)であり、機器の秒当たりに転送又は交換できるデータ量を示し、一般的にG又はTに略書く。
【０００５】
関連技術における上記問題に対して、効果的な解決手段がない。
【発明の概要】
【発明が解決しようとする課題】
【０００６】
関連技術において、従来のバックボード手段の転送性能が悪く、単一ボードの設計空間が小さい等の技術問題に対して、本発明は上記の技術問題を少なくとも解決するように、バックボード構造及び集中型スイッチング機器を提供する。
【課題を解決するための手段】
【０００７】
本発明の一実施例によれば、バックボード構造を提供し、バックボードを備え、前記バックボードの正面に設置されるラインカード、及び前記バックボードの裏面に設置されるスイッチカードを更に備える。 
【０００８】
好ましくは、前記バックボードの正面に設置され、ラインカードをスイッチカードに接続することを実現するための第1ソケット、及び前記バックボードの裏面に設置され、スイッチカードを前記ラインカードに接続することを実現するための第2ソケットを更に備え、前記第1ソケットと前記第2ソケットとは同一の層に直交に設置される。
【０００９】
好ましくは、前記第1ソケットと前記第2ソケットとは前記バックボードを貫いて直接に接続される。
【００１０】
好ましくは、前記バックボードに設置され、前記第1ソケットに接続される第3ソケット、及び前記第3ソケットに接続され、前記バックボードに設置され、且つ前記スイッチカードに接続される第4ソケットを更に備え、前記第1ソケットは前記第3ソケットと前記第4ソケットによって前記第2ソケットに接続される。
【００１１】
好ましくは、前記バックボードに設置され、層を跨いてスイッチカードとラインカードを接続するためのケーブルボックスを更に備える。
【００１２】
好ましくは、前記ラインカードを前記ケーブルボックスに接続することを実現するための第5ソケット、及び前記ケーブルボックスを前記ラインカードに接続することを実現するための第6ソケット、前記スイッチカードを前記ケーブルボックスに接続することを実現するための第7ソケット、及び前記ケーブルボックスを前記スイッチカードに接続することを実現するための第8ソケットを更に備える。
【００１３】
好ましくは、前記第5ソケットと前記第6ソケットとは前記バックボードを貫いて直接に接続され、或いは、前記第5ソケットと前記第6ソケットとは前記バックボードに設置される第9ソケットによって間接に接続される。
【００１４】
好ましくは、前記第6ソケットは前記スイッチカードのパネルに近づいて設置される。
【００１５】
好ましくは、前記第2ソケットと前記第6ソケットとはそれぞれ前記スイッチカードにおける交換チップの両側に設置される。
【００１６】
好ましくは、前記ケーブルボックスと前記スイッチカードとは前記バックボードの同じ側に設置される。
【００１７】
好ましくは、前記ケーブルボックスと前記スイッチカードとは平行に設置される。
本発明の他の実施例によれば、集中型スイッチング機器を更に提供し、スイッチカードとラインカードを備え、上記のようなバックボード構造を更に備える。
【発明の効果】
【００１８】
本発明によって、ラインカードをスイッチカードに接続することを実現するための第1ソケットとスイッチカードを前記ラインカードに接続することを実現するための第2ソケットを、それぞれバックボードの両面に設置する技術手段を採用して、関連技術において、バックボード手段の転送性能が悪く、単一ボードの設計空間が小さい問題を解決し、それにより高速信号が経路損失に対する要求を満たし、同時に、単一ボードの設計空間を増加する。
【図面の簡単な説明】
【００１９】
ここで説明した図面は本発明の更なる理解を提供するためのものであり、本出願の一部となり、本発明の例示的な実施例及びその説明は本発明を解釈するためのものであり、本発明を不適切に限定することがない。図面では、
【図１ａ】図1aは関連技術によるベルト式集中交換サブフレームの構造模式図である。
【図１ｂ】図1bは関連技術によるベルト式集中交換サブフレームの他の構造模式図である。
【図２ａ】図2aは本発明の実施例によるケーブルバックボードに基づく集中型交差サブフレームの正面模式図である。
【図２ｂ】図2bは本発明の実施例によるケーブルバックボードに基づく集中型交差サブフレームの裏面模式図である。
【図２ｃ】図2cは本発明の実施例によるケーブルバックボードに基づく集中型交差サブフレームの側面模式図である。
【図３ａ】図3aは本発明の実施例によるケーブルバックボード手段の側面図である。
【図３ｂ】図3bは本発明の実施例によるケーブルバックボード手段の平面図である。
【図４】図4は本発明の実施例によるケーブルボックスの設計模式図である。
【図５ａ】図5aは本発明の実施例1による両層スイッチカードの正面図である。
【図５ｂ】図5bは本発明の実施例1による両層スイッチカードの背面図である。
【図５ｃ】図5cは本発明の実施例1による両層スイッチカードのケーブルボックス断面模式図である。
【図６ａ】図6aは本発明の実施例2による三層スイッチカードの正面図である。
【図６ｂ】図6bは本発明の実施例2による三層スイッチカードの背面図である。
【図６ｃ】図6cは本発明の実施例2による三層スイッチカードのケーブルボックスの断面模式図である。
【図７ａ】図7aは本発明の実施例3による四層スイッチカードの正面図である。
【図７ｂ】図7bは本発明の実施例3による四層スイッチカードの背面図である。
【図７ｃ】図7cは本発明の実施例3による四層スイッチカードのケーブルボックスの断面模式図である。
【発明を実施するための形態】
【００２０】
以下、図面を参照して実施例を結合して本発明を詳細的に説明する。なお、衝突しない場合に、本出願における実施例及び実施例における特徴を互いに組み合わせることができる。
【００２１】
本実施例におけるラインカードは異なる機器においてサービスボード、プリント回路基板、カスタマーボード、支流ボード等と呼ばれることができ、外部ビジネスのアクセスをサポートして、且つバックボードソケットと交換ボードによって通信するPCBボードであり、
スイッチカードは異なる機器において交換板、交換ボード、交差板等と呼ばれる可能性があり、各ラインカードの間の交換又は交差スケジューリング機能を実現するPCBボードである。
【００２２】
ケーブルバックボードは(バックボードと略称) 一般化のバックボード概念であり、バックボードPCBを備え、以下の実施例においてラインカードとスイッチカードとの高速相互接続を実現するためのケーブルボックス(ソケットと高速ケーブルを含む)はバックボードに設置される。
【００２３】
図3a及び3bに示すように、バックボード構造であって、バックボード1と、バックボード1の正面に設置され、ラインカードをスイッチカードに接続することを実現するための第1ソケット2と、バックボード1の裏面に設置され、スイッチカードをラインカードに接続することを実現するための第2ソケット9と、を備え、第1ソケット2と第2ソケット9とは同一層に直交して設置される。
【００２４】
上記構造から見られるように、ラインカードとスイッチカードとはバックボードの異なる側に設置され、即ちラインカードはバックボード1の正面に設置され、スイッチカードはバックボードの裏面(図2a、2b及び2cに示すように) に設置される。図3a及び3bに示すように、本実施例におけるラインカードはラインカードPCB 4とラインカードパネル5を含み、本実施例におけるスイッチカードはスイッチカードPCB 11とスイッチカードパネル12を含む。
【００２５】
第1ソケット2と第2ソケット9とはバックボード1を貫いて直接に接続される。
第3ソケット13(図示せず)は、バックボード1に設置され、第1ソケット2に接続され、第3ソケット13に接続される第4ソケット14(図示せず)は、バックボード1に設置され、且つスイッチカードに接続され、第1ソケット2は第3ソケット13及び第4ソケット14によって第2ソケット9に接続される。
【００２６】
本実施例によるバックボード構造は、バックボード1に設置され、層を跨いてスイッチカードとラインカードを接続するためのケーブルボックス6を更に備えてもよい。
好ましい一実施形態において、上記バックボード構造は、ラインカードをケーブルボックス6に接続することを実現するための第5ソケット3、及びケーブルボックス6をラインカードに接続することを実現するための第6ソケット10、
スイッチカードをケーブルボックス6に接続することを実現するための第7ソケット8、及びケーブルボックス6をスイッチカードに接続することを実現するための第8ソケット7を更に備えてもよい。 
【００２７】
第5ソケット3と第6ソケット10とはバックボード1を貫いて直接に接続され、或いは、第5ソケット3と第6ソケット10とはバックボード1に設置される第9ソケット(図示せず)によって間接に接続される。
【００２８】
図3a及び3bに示すように、第6ソケット10はスイッチカードのパネル12に近づいて設置される。好ましい一実施形態において、第2ソケット9と第6ソケット10とはそれぞれスイッチカードにおける交換チップの両側に設置され、このように、交換チップから第2ソケット9までと第6ソケット10までの距離が等しいことを確保することができる。
【００２９】
図2bに示すように、ケーブルボックス6とスイッチカードとはバックボード1の同じ側に設置される。ケーブルボックス6とスイッチカードとは平行に設置される。
【００３０】
本実施例において、集中型スイッチング機器を更に提供し、スイッチカード、ラインカード、及び以上のようなバックボード構造を備え、スイッチカードは前記バックボード構造のバックボード裏面に設置され、ラインカードは前記バックボードの正面に設置される。
【００３１】
上記実施例をよりよく理解するために、以下で、好ましい実施例を結合して詳細的に説明する。
【００３２】
本実施例はケーブルを使用して実現するバックボード相互接続構造を提供し、光転送ネットワーク(Optical Transport Network、OTNと略称)、パケット転送ネットワーク(Packet Transfer Network、PTNと略称)、ルータ等の集中交換又は交差(Central Switch)構造を採用する通信機器に応用される。
【００３３】
集中型スイッチング機器は一般的に若干のラインカードと若干の交換ボードからなり、各ラインカードと各交換ボードとはいずれも十分な物理接続通路を必要とし、高速ケーブルを使用して該物理通路の接続を実現するのは新しいバックボード技術であり、転送損耗を低下させ、接続可能な距離を向上させ、それにより機器のラインカード数と最大の交換容量を向上させる。
【００３４】
集中型スイッチング機器のバックボードが実現しようとする1つの基本機能は、全てのラインカードと全てのスイッチカードの間に、1つの接続通路を少なくとも有し、このようにいずれのラインカードの間のデータスケジューリングを実現することができる。
【００３５】
この上で、本実施例は更に高速信号損耗を低下させ、ラインカードの使用可能な空間を増加し、より大き機器容量（50Tより大きい）を提供し、より大きい単一のスロットラインカードアクセス帯域幅（800G/1T）を提供する。
【００３６】
本実施例における機器形態は図2a、図2b、図2c、図3a及び3b、及び図4に示す。
図3a及び3bを参照して、本発明によるケーブルバックボードに基づく機器は以下の部材からなり、
1.バックボードPCB、
2.ラインカードをスイッチカードに接続するソケット(即ち第1ソケット2)、
3.ラインカードをケーブルボックスに接続するソケット(即ち第5ソケット3)、
4.ラインカードPCB、 
5.ラインカードパネル、
6.ケーブルボックス、
7.ケーブルボックスを交換板に接続するソケット(即ち第8ソケット7)、
8.スイッチカードをケーブルボックスに接続するソケット(即ち第7ソケット8)、
9.スイッチカードをラインカードに接続するソケット(即ち第2ソケット9)、
10.ケーブルボックスをラインカードに接続するソケット(即ち第6ソケット10)、
11.スイッチカードPCB、
12.スイッチカードパネル、
上記部材2と9、3と10は、バックボードを貫いて直接に接続することではないと、更に2と9、3と8の間に交換し相互接続に用いられる以下の選択可能な部材が存在する。
13.バックボードをラインカードに接続するソケット(図示せず)、
14.バックボードをスイッチカードに接続するソケット(図示せず)、
15.バックボードをケーブルに接続するソケット。
【００３７】
部材2、3、4、5によりラインカードユニットを構成し、部材1、13、14、15によりバックボードPCBユニットを構成し、部材6、7、10によりケーブルボックスユニットを構成し、部材8、9、11、12によりスイッチカードユニットを構成する。バックボードPCBユニットとケーブルボックスユニットとはケーブルバックボードと総称されることができる。
【００３８】
図2a及び図2bに示すように、バックボードの正面に全部がラインカードスロットであり、ラインカードに横方向プラグ設計を採用し、スロット数がNである。機器背面は2〜4層の垂直に挿入されたスイッチカードであり、スロット数がMであり、各層のスロット数がyであり、機器層数がcである。ある層のスイッチカードに対して、スイッチカードと正面の対応する層のラインカードは直交する位置関係であり、バックボード側の直交ソケットによって直接に相互接続される。即ち各ラインカードはy個のバックボードソケット(部材2)を提供し、各スイッチカードはN/c個のバックボードソケット(部材9)を提供し、部材2及び9は直接に対向して挿入する直交ソケットを選択してもよいし、部材13と14によって交換した後に相互接続されてもよい。このように同層の各スイッチカードと各ラインカードとの間にいずれも一対の直交ソケットの接続を確保し、即ち同層スイッチカードとラインカードとの相互接続問題を解決し、同時に、直交の構造を採用して、バックボードトレースがなく、データ通路のPCBトレースを最も短く確保することができ、高速信号の転送性能を提供する。
【００３９】
機器分層を跨ぐデータ接続はケーブルボックスによって実現する必要がある。図2bを参照して、ケーブルボックスも機器の裏面に取り付けられ、スイッチカードに平行に設置され、縦方向に全ての垂直列のスイッチカード位置を跨ぎ、ケーブルボックス一側のソケット(部材10)は全てのラインカードソケット(部材3)に接続され、他側(部材7)は対応する垂直列のスイッチカードソケット(部材8)に接続される。ケーブルボックスはプリインストール部材であり、機器を出荷する前に、ケーブルボックスは構造部材によって機器フレームに固定される。ラインカードとスイッチカードとは出荷した後に再び機器の対応するスロットに挿入されることができる。部材8の位置はスイッチカードの交換チップがないPCB面にあり、同時に、部材8と部材9とはそれぞれ交換チップの両側に置かれ、交換チップから部材8と部材9までのPCBトレースをできるだけ短く確保することができる。
【００４０】
図4を参照して、ケーブルボックスの左側がラインカードに接続されるソケット(部材10)の数がNであり、即ちラインカード当たりにスロットが1つであり、右側がスイッチカードに接続されるソケット(部材7)の数がQであり、ソケットの仕様に応じて確定することができ、Q個の部材7とN個の部材10が転送できるデータ通路の数は同様であればよい。ケーブルボックスの内部に高速ケーブルを使用して部材7と部材10を接続し、各部材10は (c-1)部分に分けられ、それぞれ異なる層の部材7に接続される。このようにケーブルボックスは全ての異なる層の各ラインカードと各スイッチカードの相互連通を実現する。同時に、高速ケーブルの転送損耗はPCBトレースに対して非常に小さく、このように全体の転送路径における損耗を非常に低く制御することができ、高速信号の転送性能を確保する。
【００４１】
機器の2種の主なボードはそれぞれ正面と裏面にあり、このように両者のPCB深さをそれぞれ設計することができる。交換板の設計は比較的固定であり、主に交換チップであり、このため、スイッチカードの深さをできるだけ圧縮することができる。同時に、ケーブルボックスとスイッチカードは平行に設置されて、追加の機器深さをも占用しない。ラインカードは光モジュール等の技術の発展に従って、新たな機能ボードを不断に開発し、PCB空間も大きく要求される。本発明の実施例はラインカードのPCB空間を大きくする問題をよく解決できる。
【００４２】
実施例1
図5a、5b、5cに示すように、本実施例は64スロットラインカード、シングルラインカード800G帯域幅の設計を実現し、システムの最大容量が51.2Tである。
【００４３】
両層スイッチカードの構造を採用する。シングルラインカード800Gで、シングル物理接続速度が25Gを選択し、単一のラインカードは48個のチャンネル転送データを必要とし、保護を考えて、合計64個の物理チャンネルを必要とし、構造の制限に基づき、スイッチカードの数は8個を選択することができ、6+2の保護モードを採用する。ラインカードの64個のチャンネルを8個のスイッチカードに割り当て、各スイッチカードには8個のチャンネルがある。ケーブルボックスとラインカード相互接続ソケット(部材3及び10)は4x4pairを選択し、8チャンネルをサポートする。ラインカードとスイッチカード相互接続ソケット(部材2及び9)は4x4pairを選択し、8チャンネルをサポートする。ケーブルボックス及びスイッチカード相互接続ソケット(部材7及び8)は4x8pairを選択し、16チャンネルをサポートする。それにより該実施例の形態は図5a、5b、5cに示すように、基本的なパラメータは以下の通りである。
【００４４】
ラインカード数N＝64、
スイッチカード数M＝8、 
機器層数c＝2、
シングル層クロスボード数y＝4、
シングル層ラインカード数x＝32、
ケーブルボックス数y＝4、
各ラインカードをスイッチカードに接続するソケット(部材2)数：4、
各ラインカードをケーブルボックスに接続するソケット(部材3)数：4、
各ケーブルボックスをラインカードに接続するソケット(部材10)数：64、
各ケーブルボックスをスイッチカードに接続するソケット(部材7)数：32、
各スイッチカードをラインカードに接続するソケット(部材9)数：32、
各スイッチカードをケーブルボックスに接続するソケット(部材8)数：16、
部材3及び10選択タイプ：4x4pair、
部材2及び9選択タイプ：4x4pair、
部材7及び8選択タイプ：4x8pair、
ケーブルボックス内ケーブル数：1024pair。
【００４５】
実施例2
本実施例は72スロットラインカード、シングルラインカード1T帯域幅の設計を実現し、システム最大容量が72Tである。
【００４６】
三層スイッチカードの構造を採用する。シングルラインカード1T、シングル物理接続速度は25Gを選択し、単一のラインカードは60個のチャンネル転送データを必要とし、保護を考えて、合計72個の物理チャンネルを必要とし、構造の制限に基づき、スイッチカード数は12個を選択することができ、10+2保護モードを採用する。ラインカードの72個のチャンネルを12個のスイッチカードに割り当て、各スイッチカードに8個のチャンネルがある。ケーブルボックスとラインカード相互接続ソケット(部材3及び10)は4x8pairを選択し、16チャンネルをサポートする。ラインカード及びスイッチカード相互接続ソケット(部材2及び9)は4x4pairを選択し、8チャンネルをサポートする。ケーブルボックス及びスイッチカード相互接続ソケット(部材7及び8)は8x8pairを選択し、32チャンネルをサポートする。それにより該実施例の形態は図6a、6b、6cに示すように、基本的なパラメータは以下の通りである。
【００４７】
ラインカード数N＝72、 
スイッチカード数M＝12、
機器層数c＝3、
シングル層クロスボード数y＝4、
シングル層ラインカード数x＝24、
ケーブルボックス数y＝4、
各ラインカードをスイッチカードに接続するソケット(部材2)数：4、
各ラインカードをケーブルボックスに接続するソケット(部材3)数：4、
各ケーブルボックスをラインカードに接続するソケット(部材10)数：72、
各ケーブルボックスをスイッチカードに接続するソケット(部材7)数：36、
各スイッチカードをラインカードに接続するソケット(部材9)数：24、
各スイッチカードをケーブルボックスに接続するソケット(部材8)数：12、
部材3及び10選択タイプ：4x8pair、
部材2及び9選択タイプ：4x4pair、
部材7及び8選択タイプ：8x8pair、
ケーブルボックス内ケーブル数：2304pair。
【００４８】
実施例3
本実施例は80スロットラインカード、シングルラインカード1T帯域幅の設計を実現し、システム最大容量が80Tである。
【００４９】
四層スイッチカードの構造を採用する。シングルラインカード1T、シングル物理接続速度は25Gを選択し、単一のラインカードは60個のチャンネル転送データを必要とし、保護を考えて、合計72個の物理チャンネルを必要とし、構造の制限に基づき、スイッチカード数は12個を選択することができ、10+2保護モードを採用する。ラインカードの72個のチャンネルを12個のスイッチカードに割り当て、各スイッチカードに8個のチャンネルがある。ケーブルボックス及びラインカード相互接続ソケット(部材3及び10)は6x8pairを選択し、24チャンネルをサポートする。ラインカード及びスイッチカード相互接続ソケット(部材2及び9)は4x4pairを選択し、8チャンネルをサポートする。ケーブルボックス及びスイッチカード相互接続ソケット(部材7及び8)は8x12pairを選択し、48チャンネルをサポートする。それにより該実施例の形態は図7a、7b、7cに示すように、基本的なパラメータは以下の通りである。 
【００５０】
ラインカード数N＝80、
スイッチカード数M＝12、
機器層数c＝4、
シングル層クロスボード数y＝3、
シングル層ラインカード数x＝20、
ケーブルボックス数y＝3、
各ラインカードをスイッチカードに接続するソケット(部材2)数：3、
各ラインカードをケーブルボックスに接続するソケット(部材3)数：3、
各ケーブルボックスをラインカードに接続するソケット(部材10)数：80、
各ケーブルボックスをスイッチカードに接続するソケット(部材7)数：40、
各スイッチカードをラインカードに接続するソケット(部材9)数：20、
各スイッチカードをケーブルボックスに接続するソケット(部材8)数：10、
部材3及び10選択タイプ：6x8pair、
部材2及び9選択タイプ：4x4pair、
部材7及び8選択タイプ：8x12pair、
ケーブルボックス内ケーブル数：3840pair。
本実施例の有益な効果は以下のとおりである。
【００５１】
ケーブルボックス以及び直交の構造を採用することにより、各ラインカード及び各クロスボードの接続通路をすべてできるだけ短くさせ、完全に25G/28G高速信号の経路損失に対する要求を満たすことができる。ケーブルボックス及びスイッチカードの平行設計、及びラインカードが独立に機器の一面を占用することにより、できるだけラインカードのPCB設計空間を大きくすることができ、シングルラインカードの大容量設計の需要を満たす。更に、全体の機器スケジューリング容量の向上させることができ、100Tを超えるシステム容量を実現することができる。 
【００５２】
以上記載されたのは単に本発明の好ましい実施例だけであり、本発明を限定するためのものではなく、当業者にとって、本発明は各種の改正及び変化を有することができる。本発明の精神及び原則内にあれば、行った任意の修正、同等切替、改良等は、いずれも本発明の保護範囲内に属すべきである。
【産業上の利用可能性】
【００５３】
本発明の実施例による上記技術的解決手段に基づいて、ラインカードをスイッチカードに接続することを実現するための第1ソケットとスイッチカードを前記ラインカードに接続することを実現するための第2ソケットを、それぞれバックボードの両面に設置する技術手段を採用して、関連技術において、バックボード手段の転送性能が悪く、単一ボードの設計空間が小さい問題を解決し、それにより高速信号が経路損失に対する要求を満たし、同時に、単一ボードの設計空間を増加する。
【図１ａ】
2017521960.tif 000003
【図１ｂ】
2017521960.tif 000004
【図２ａ】
2017521960.tif 000005
【図２ｂ】
2017521960.tif 000006
【図２ｃ】
2017521960.tif 000007
【図３ａ】
2017521960.tif 000008
【図３ｂ】
2017521960.tif 000009
【図４】
2017521960.tif 000010
【図５ａ】
2017521960.tif 000011
【図５ｂ】
2017521960.tif 000012
【図５ｃ】
2017521960.tif 000013
【図６ａ】
2017521960.tif 000014
【図６ｂ】
2017521960.tif 000015
【図６ｃ】
2017521960.tif 000016
【図７ａ】
2017521960.tif 000017
【図７ｂ】
2017521960.tif 000018
【図７ｃ】
2017521960.tif 000019
【国際調査報告】
2017521960.tif 000020
2017521960.tif 000021
2017521960.tif 000022
2017521960.tif 000023